(57)【要約】【課題】作業者の目視確認、入力作業を極力自動化、簡略化することで、監視制御システムの試験作業を効率的に行う。【解決手段】監視制御システムにおける入力信号又は出力信号の表示形態を定義する入出力信号定義部１１０と、監視制御画面における表示と入出力信号定義部で定義された入力信号又は出力信号との対応付けを記憶する入出力信号照合データベース１２１と、入出力信号照合データベースを検索する入出力信号照合データベース検索部１１３と、入出力信号照合データベース検索部１１３で検索して取得したデータを用いて監視制御画面を表示する画面出力部１１６とを備える。そして、画面を表示する際に、入出力信号照合データベース検索部１１３で検索したデータに対応した、入出力信号定義部１１０で定義された表示シンボル又は数値表示項目を指し示す表示を行う。【選択図】図２
2013120536.tif 000002
【特許請求の範囲】
【請求項１】
監視制御状態を監視制御画面に表示する監視制御システムの試験を支援する試験支援装置において、
前記監視制御システムにおける入力信号又は出力信号の表示形態を定義する入出力信号定義部と、
前記監視制御画面における表示と前記入出力信号定義部で定義された入力信号又は出力信号との対応付けを記憶する入出力信号照合データベースと、
前記入出力信号照合データベースを検索する入出力信号照合データベース検索部と、
前記入出力信号照合データベース検索部で検索して取得したデータを用いて、監視制御画面を表示する監視制御画面表示処理部とを備え、
前記監視制御画面表示処理部は、前記監視制御画面の表示を行う際に、検索したデータに対応した、前記入出力信号定義部で定義された表示シンボル又は数値表示項目を指し示す表示を行うことを特徴とする試験支援装置。
【請求項２】
前記監視制御システムが表示する帳票の出力項目と前記入力信号又は出力信号との対応付けを記憶する帳票出力項目照合データベースと、
前記帳票出力項目照合データベースを検索する帳票出力項目照合データベース検索部とを備え、
前記帳票出力項目照合データベース検索部で検索して取得したデータを用いて前記帳票の表示を行うことを特徴とする
請求項１記載の試験支援装置。
【請求項３】
前記帳票の表示を行う際に、帳票中の数値表示箇所で、下限値、中間値、上限値、異常値の内の複数の値を交互に表示することを特徴とする
請求項２記載の試験支援装置。
【請求項４】
監視制御状態を監視制御画面に表示する監視制御システムの試験を支援する試験支援方法において、
前記監視制御システムにおける入力信号又は出力信号の表示形態を定義する入出力信号定義ステップと、
前記監視制御画面における表示と前記入出力信号定義ステップで定義された入力信号又は出力信号との対応付けを入出力信号照合データベースとして記憶する入出力信号照合データベース作成ステップと、
前記入出力信号照合データベースを検索する入出力信号照合データベース検索ステップと、
前記監視制御画面に、前記入出力信号照合データベース検索ステップで検索して取得したデータを用いて試験用の画面を表示する画面表示ステップと、
前記画面の表示を行う際に、前記入出力信号照合データベース検索ステップで検索したデータに対応した、前記入出力信号定義ステップで定義された表示シンボル又は数値表示項目を指し示す表示を実行する表示ガイドステップと、
を含むことを特徴とする試験支援方法。
【請求項５】
前記監視制御システムが表示する帳票の出力項目と前記入力信号又は出力信号との対応付けを帳票出力項目照合データベースとして記憶する帳票出力項目照合データベース記憶ステップと、
前記帳票出力項目照合データベースを検索する帳票出力項目照合データベース検索ステップとを含み、
帳票出力項目照合データベース検索ステップで検索して取得したデータを用いて前記帳票を表示することを特徴とする
請求項４記載の試験支援方法。
【請求項６】
前記帳票の表示を行う際に、帳票中の数値表示箇所で、下限値、中間値、上限値、異常値の内の複数の値を交互に表示する
請求項５記載の試験支援方法。
【請求項７】
監視制御状態を監視制御画面に表示する監視制御システムの試験を支援する機能をコンピュータで実現させるためのプログラムであって、
前記監視制御システムにおける入力信号又は出力信号の表示形態を定義する入出力信号定義機能と、
前記監視制御画面における表示と前記入出力信号定義機能で定義された入力信号又は出力信号との対応付けを入出力信号照合データベースとして記憶する入出力信号照合データベース作成機能と、
前記入出力信号照合データベースを検索する入出力信号照合データベース検索機能と、
前記入出力信号照合データベース検索機能で検索して取得したデータを用いて前記監視制御画面を表示する画面表示機能と、
前記監視制御画面の表示を行う際に、前記入出力信号照合データベース検索機能で検索したデータに対応した、前記入出力信号定義機能で定義された表示シンボル又は数値表示項目を指し示す表示を実行する表示ガイド機能と、
をコンピュータに実現させるためのプログラム。
【発明の詳細な説明】
【技術分野】
【０００１】
本発明は、プラントなどの監視制御システムにおける試験支援装置及び試験支援方法、並びに試験支援方法を実行するプログラムに関する。
【背景技術】
【０００２】
プラントの状態やプラントが備える機器を監視する監視制御システムでは、システムを構築した際に、プラントの監視を正しく行えるかどうかを試験する必要がある。例えば、監視制御システムでは、実際の監視状態を模した試験データを入力して、監視制御システムの監視画面に表示される監視状態が、適切な表示であるかどうかを作業員が確認する試験作業が行われている。
【０００３】
このような試験作業を支援する従来の監視制御システムの試験支援装置としては、例えば特許文献１に記載のものがある。特許文献１に記載の試験支援装置は、監視制御システムが扱う入出力信号のＩＤ番号とそれに関わるドキュメントを関連付けてデータベース化し、ＩＤ番号を指定することにより、その入出力信号を取り扱っている全てのドキュメントを抽出して表示する。この特許文献１に記載の試験支援装置によると、監視制御システムの試験時のＩＤ番号とドキュメントとの対応が判る。
【先行技術文献】
【特許文献】
【０００４】
【特許文献１】特開２００２−２６８７４０号公報
【発明の概要】
【発明が解決しようとする課題】
【０００５】
しかしながら、ＩＤ番号とドキュメントとの対応関係が判っても、その対応したドキュメントを使用することで、監視画面でどのような表示状態になるかについての確認は、作業者が手作業で行う必要がある。このため、特許文献１に記載の手法を適用したとしても、依然として試験作業には手間と時間がかかる問題があった。
【０００６】
すなわち、監視制御システムにおいて、入力信号又は出力信号の表示形態を定義する入出力信号定義、あるいは監視制御画面の表示内容を定義する監視制御画面定義に対する試験を行う際の手順として、作業者は、物理アドレス、論理素子、メッセージ（印字名称）が関連付けて記載してある図面から、試験対象となる入出力信号を確認する。この図面は、通常、紙に印刷されたものである。そして、確認した入出力信号に対応付けられた論理端子または物理アドレスに対し、作業者が模擬データを送信し、その信号に対応する監視制御画面を表示し、シンボルまたは値を確認するという作業を行う。
【０００７】
一般的に、プラントを監視する監視制御システムが扱う入出力信号点数は、数百から数千点の規模である。したがって、監視制御システムが監視するプラントの規模が大きくなればなるほど、試験時間が増大すると共に、前述の作業の中の各所で見落としが発生し易くなる。また、入力ミスなどのヒューマンエラーが発生する可能性が高まる。
【０００８】
本発明は、作業者の目視確認、入力作業を極力自動化、簡略化することで、監視制御システムの試験作業を効率的に行うことができる試験支援装置、試験支援方法及びプログラムを提供することを目的とする。
【課題を解決するための手段】
【０００９】
本発明の試験支援装置は、監視制御状態を監視制御画面に表示する監視制御システムの試験を支援する試験支援装置において、監視制御システムにおける入力信号又は出力信号の表示形態を定義する入出力信号定義部と、監視制御画面における表示と入出力信号定義部で定義された入力信号又は出力信号との対応付けを記憶する入出力信号照合データベースと、入出力信号照合データベースを検索する入出力信号照合データベース検索部と、入出力信号照合データベース検索部で検索して取得したデータを用いて監視制御画面を表示させる試験制御画面表示処理部とを備える。そして、監視制御画面の表示を行う際に、検索したデータに対応した、入出力信号定義部で定義された表示シンボル又は数値表示項目を指し示す表示を行うものである。
【００１０】
また、本発明の試験支援方法は、監視制御状態を監視制御画面に表示する監視制御システムの試験を支援する試験支援方法において、監視制御システムにおける入力信号又は出力信号の表示形態を定義する入出力信号定義ステップと、監視制御画面における表示と入出力信号定義ステップで定義された入力信号又は出力信号との対応付けを入出力信号照合データベースとして記憶する入出力信号照合データベース作成ステップと、入出力信号照合データベースを検索する入出力信号照合データベース検索ステップと、入出力信号照合データベース検索ステップで検索して取得したデータを用いて表示する監視制御画面を表示する監視制御画面表示ステップと、監視制御画面を表示する際に、検索したデータに対応した入出力信号定義処理で定義された表示シンボル又は数値表示項目を指し示す表示を実行する表示ガイドステップとを含む。
【００１１】
また、本発明のプログラムは、監視制御状態を監視制御画面に表示する監視制御システムの試験を支援する機能をコンピュータに実現させるためのプログラムにおいて、監視制御システムにおける入力信号又は出力信号の表示形態を定義する入出力信号定義機能と、監視制御画面における表示と入出力信号定義機能で定義された入力信号又は出力信号との対応付けを入出力信号照合データベースとして記憶する入出力信号照合データベース作成機能と、入出力信号照合データベースを検索する入出力信号照合データベース検索機能と、入出力信号照合データベース検索機能で検索して取得したデータを用いて監視制御画面を表示する表示機能と、監視制御画面を表示する際に、検索したデータに対応した、入出力信号定義機能で定義された表示シンボル又は数値表示項目を指し示す表示を行う表示ガイド機能をコンピュータに実現させるためのプログラムである。
【発明の効果】
【００１２】
本発明によれば、監視制御システムにおける監視画面上のどこに試験作業者が探しているシンボルがあるか、あるいは信号は定義されているか、信号の定義は正当かを簡単かつ迅速に試験することが可能となる。このため、監視制御システムにおける試験業務を極めて正確かつ効率的に行うことができる。
【図面の簡単な説明】
【００１３】
【図１】本発明の一実施の形態によるシステム全体の例を示すブロック図である。
【図２】本発明の一実施の形態による監視制御端末の例を示すブロック図である。
【図３】本発明の一実施の形態によるデータベース作成機能の実装例を示すブロック図である。
【図４】本発明の一実施の形態によるテーブルの例を示す構成図である。
【図５】本発明の一実施の形態による画面表示処理例を示すフローチャートである。
【図６】本発明の一実施の形態による表示例を示す説明図である。
【図７】本発明の一実施の形態による帳票表示処理例を示すフローチャートである。
【図８】本発明の一実施の形態による帳票作成例を示す説明図である。
【発明を実施するための形態】
【００１４】
以下、本発明の一実施の形態の例（以下「本例」と称する。）を、図１〜図８を参照して説明する。
［１．システムの全体構成］
図１は、本例のシステム全体の概要を示した図である。工場などに設置されたプラント１０の各部は、コントローラ３１，３２，・・・からプロセス入出力装置２１，２２，・・・を介して指令を受信して操作を行う。例えば、プラント１０が備えるバルブは、開閉指令を受信したとき、該当するバルブの開動作や閉動作を行う。また、プラント１０が備える計測器は、計測して得たデータを、プロセス入出力装置２１，２２，・・・を介してコントローラ３１，３２，・・・に供給する。プロセス入出力装置２１，２２，・・・やコントローラ３１，３２，・・・は、プラント１０の規模に応じて多数配置する。
監視制御端末１００は、ネットワーク９０を介して各コントローラ３１，３２，・・・と通信可能であり、プラント１０の各部への指令を対応したコントローラ３１，３２，・・・などに出力する。また、監視制御端末１００には、コントローラ３１，３２，・・・からの計測値などのデータが入力される。監視制御端末１００は、試験支援装置としての機能も備える。
【００１５】
［２．監視制御端末の構成］
次に、図２を参照して、監視制御端末１００の構成例について説明する。
監視制御端末１００は、例えばコンピュータ装置とその周辺装置で構成され、プラント１０の監視制御を行う監視画面を表示すると共に、監視状況などを示す帳票を表示し、またその帳票の印刷などを行う。
監視制御端末１００の入出力部１０１は、図１に示したコントローラ３１，３２，・・・と通信を行い、コントローラ３１，３２，・・・からの入力信号を監視制御画面作成部１０２と帳票作成部１０３に供給する。監視制御画面作成部１０２は、供給される信号に基づいて、プラント１０の監視制御状態を示す監視制御画面のデータを作成し、作成した監視制御画面のデータを表示部１３１に供給する。表示部１３１は、供給される監視制御画面のデータにより、監視制御画面の表示を行う。
【００１６】
帳票作成部１０３は、供給される信号に基づいて、プラント１０の運転状況の詳細などを示す帳票のデータを作成し、作成した帳票のデータを表示部１３１に供給する。表示部１３１は、供給された帳票のデータを使用して帳票の表示を行う。また、帳票作成部１０３は、作成した帳票のデータをプリンタ１３２に供給し、プリンタ１３２で印刷を行う。
また、監視制御端末１００は、監視作業者が監視動作に関する操作を行う操作部１０４を備える。試験作業を行う際の操作についても、監視制御端末１００は、この操作部１０４を使用して操作を行う。
【００１７】
また、監視制御端末１００は、入出力信号定義部１１０を備える。入出力信号定義部１１０は、入出力信号定義情報部１１１を有し、この入出力信号定義情報部１１１が記憶した入出力信号定義情報により、監視制御対象のプラント１０に適合した監視制御機能を定義・構築する。入出力信号定義部１１０は、入出力信号定義情報部１１１が記憶した入出力信号定義情報を使用して、入力信号及び出力信号の定義，操作，制御などに関する情報を、監視制御端末１００の監視制御画面作成部１０２，帳票作成部１０３や各コントローラ３１，３２，・・・が理解できるデータに変換する。そして、入出力信号定義部１１０は、変換したデータを、監視制御端末１００の各コントローラ３１，３２，・・・に供給する。
【００１８】
入出力信号定義部１１０は、入出力信号照合データベース作成部１１２と、入出力信号照合データベース検索部１１３と、帳票出力項目照合データベース作成部１１４と、帳票出力項目照合データベース検索部１１５と、監視制御画面表示処理部１１６と、帳票データ出力部１１７と、模擬データ送信部１１８とを備える。帳票データ出力部１１７は、試験時には試験用の帳票データを作成する。
【００１９】
模擬データ送信部１１８は、試験時に各コントローラ３１，３２，・・・に対して模擬データを送信する。その模擬データを受信した各コントローラ３１，３２，・・・は、プラントの運転状況のデータの代わりに、受信した模擬データを監視制御端末１００に対して送信する。このように各コントローラ３１，３２，・・・を経由した模擬データのやり取りが行われることで、監視制御端末１００は、試験時においても、実際のプラント監視時と同様の信号の入力経路で、各コントローラ３１，３２，・・・から信号を受け取って、プラントの運転状況を示す監視画面に表示することができる。
【００２０】
また、監視制御端末１００は、入出力信号照合データベース作成部１１２で作成された入出力信号照合データベースを記憶する信号照合データベース部１２１と、帳票出力項目照合データベース作成部１１４で作成された帳票出力項目照合データベースを記憶する帳票照合データベース部１２２とを有する。
【００２１】
図３は、各データベース部１２１，１２２が記憶するデータベースの作成処理構成を示すブロック図である。なお、図３では、入出力信号定義部１１０として、データベースの作成処理に関係した構成のみを示す。
監視制御画面作成部１０２は、監視制御画面を作成した結果、生成される監視制御情報ファイル１０２ａを備える。そして、入出力信号定義部１１０内の入出力信号照合データベース作成部１１２が、監視制御情報ファイル１０２ａ内の監視制御画面定義情報１０２ｂを読み込む。入出力信号照合データベース作成部１１２は、監視制御画面定義情報１０２ｂと入出力信号定義情報部１１１が記憶した入出力信号定義情報とを関連付ける入出力信号照合データベースを作成する。入出力信号照合データベース作成部１１２が作成した入出力信号照合データベースは、信号照合データベース部１２１に供給され保存される。
【００２２】
また、入出力信号定義部１１０内の帳票出力項目照合データベース作成部１１４が、帳票作成部１０３が有する帳票情報１０３ａを読み込む。そして、帳票出力項目照合データベース作成部１１４は、帳票情報１０３ａと入出力信号定義情報部１１１が記憶した入出力信号定義情報とを関連付ける帳票出力項目照合データベースを作成する。帳票出力項目照合データベース作成部１１４が作成した帳票出力項目照合データベースは、帳票照合データベース部１２２に供給され保存される。
【００２３】
［３．データベースの例］
次に、入出力信号照合データベース作成部１１２が記憶する信号照合データベースの例と、帳票照合データベース部１２２が記憶する帳票出力項目照合データベースの例を、図４に示す。
図４（ａ）は、入出力信号照合データベース作成部１１２が記憶する信号照合データベースのテーブルの例である。信号照合データベースは、画面名称１２１ａと、画面ナンバー１２１ｂと、表示シンボル１２１ｃと、開始座標１２１ｄと、終了座標１２１ｅと、論理端子１２１ｆと、物理アドレス１２１ｇのデータを持つ。これらのデータの内の画面名称１２１ａと画面ナンバー１２１ｂと表示シンボル１２１ｃと開始座標１２１ｄと終了座標１２１ｅについては、監視制御画面作成部１０２が管理している監視制御画面ファイルが持つデータである。開始座標１２１ｄと終了座標１２１ｅは、表示シンボルを画面上に表示する位置を指示するデータである。また、論理端子１２１ｆと物理アドレス１２１ｇのデータは、入出力信号定義情報部１１１で定義されたデータである。これらのデータが関連付けられて入出力信号照合データベースとして記憶される。そして、この出力信号照合データベースを参照することで、論理端子１２１ｆと物理アドレス１２１ｇで表示シンボルを特定することができる。
このように入出力信号照合データベースにより、監視制御画面上で信号が割り付けられたシンボルを特定することが可能になる。図４（ａ）では表示シンボルを特定する例を示したが、監視制御画面に表示される数値項目を指定することで、数値項目を特定することもできる。
【００２４】
図４（ｂ）は、帳票照合データベース部１２２が記憶する帳票出力項目照合データベースのテーブルの例である。帳票出力項目照合データベースは、帳票名称１２２ａと、信号名称１２２ｂと、データベースナンバー１２２ｃのデータを持つ。帳票名称１２２ａは、帳票作成部１０３から供給されるデータであり、帳票名称１２２ａと信号名称１２２ｂのデータは、入出力信号定義情報部１１１で定義されたデータである。帳票出力項目照合データベースは、これらのデータを関連付けて記憶し、この票出力項目照合データベースを参照することで、帳票内でのデータの出力位置を特定することが可能になる。
【００２５】
［４．監視制御画面の表示処理例］
次に、図５のフローチャートを参照して、監視制御画面の表示処理例について説明する。
まず試験を実施する信号の定義内容を入出力信号定義部１１０が取得する（ステップＳ１）。ここでの試験を実施する信号の取得は、例えば試験作業者の操作に基づいて行う。あるいは、監視制御画面ファイルなどに記載された信号の修正があるとき、その修正された信号を、入出力信号定義部１１０が試験を実施する信号として自動的に取得してもよい。
【００２６】
この試験を実施する信号の取得があると、入出力信号照合データベース検索部１１３は、取得した信号に対応した信号照合データベース部１２１の記憶データの検索を行う（ステップＳ２）。そして、この検索の結果、取得した信号と一致する信号についての情報がデータベース内に存在するか否かを判断する（ステップＳ３）。
【００２７】
ステップＳ３で、取得した信号についての情報がデータベース内に存在しない場合には、定義誤りとして処理を終了する（ステップＳ４）。このステップＳ４での定義誤りは、例えば画面出力に表示されない項目となる誤り、入出力信号定義情報部１１１の定義誤り、または、監視制御画面のシンボル・計測値項目の定義誤りのいずれかに該当する。このときには、メッセージやダイアログを表示して誤りがあることを通知する。
【００２８】
ステップＳ３で、指定した信号についての情報がデータベース内に存在した場合には、その情報に対応したデータベースの情報から、入出力信号照合データベース検索部１１３が画面表示を行うための情報を取得する（ステップＳ５）。そして、表示部１３１で監視制御画面の表示を行う。このときには、取得した画面情報から、信号の入出力結果が反映される位置（例えば指定した信号で特定のシンボルが表示される位置）を判断し、監視制御画面上の、その判断した位置で特定の表示を行い、特定のシンボルが表示される位置を案内するガイド表示を行う。例えば、監視制御画面表示処理部１１６が、入出力結果が反映される位置を囲む丸印を表示する。
【００２９】
また、プラント状態を示す模擬データとしてのビットデータや工学値（計測値）を表示する場合に、模擬データ送信部１１８が模擬データをコントローラの物理アドレスへ送信する（ステップＳ７）。この送信の結果、試験作業者は、画面の表示状態が意図した結果になったか否かを判断する（ステップＳ８）。ステップＳ８で試験作業者が意図した表示であると判断したときには、試験作業者の対応した入力操作を受けて、監視制御画面表示処理部１１６は、今回の入力信号について試験済みであることを入出力信号定義情報部１１１に出力する（ステップＳ１０）。このとき、例えば入出力信号定義情報部１１１が、対応した定義情報が試験済みであること示す情報を記憶してもよい。
また、ステップＳ８で適正な表示でないと試験作業者が判断した場合には、試験作業者の対応した入力操作を受けて、表示シンボル又は定義に誤りがあると判断して（ステップＳ９）、処理を終了する。この誤りがある場合には、例えば入出力信号定義情報部１１１が、対応した定義情報に誤りがあること示す情報を記憶してもよい。
【００３０】
図６は、監視制御画面の表示例を示した図である。図６に示す表示シンボル２０２ａの表示位置を囲むように、丸印２０３を表示する。この丸印２０３の表示が行われることで、その丸印２０３の内側に表示された表示シンボル２０２ａが試験対象となっているシンボルであることが判る。図６の例では、ポンプを示す表示シンボル２０２ａが正しい位置に表示されていることを、試験作業者が確認できる。
入力信号が計測値項目の表示を行う箇所に関連した表示である場合には、その計測値表示を行う箇所を、丸印２０３などの表示で示す。例えば、水位の表示箇所２０２ｂが試験を実施する信号であるとき、その表示箇所２０２ｂで示してもよい。
【００３１】
なお、丸印で該当する箇所を囲む表示は一例であり、その他の表示形態で、表示シンボルや数値表示箇所を示すガイド表示を行うようにしてもよい。
【００３２】
［５．帳票の画面表示処理例］
次に、図７のフローチャートを参照して、帳票の画面表示処理例を説明する。
まず試験を実施する信号を入出力信号定義部１１０が取得する（ステップＳ１１）。ここでの試験を実施する信号の取得は、例えば試験作業者の操作に基づいて行う。あるいは、帳票情報などに記載された信号の修正があるとき、その修正された信号を、入出力信号定義部１１０が試験を実施する信号として自動的に取得してもよい。
【００３３】
この試験を実施する信号の取得があると、帳票出力項目照合データベース検索部１１５は、帳票照合データベース部１２２の記憶データを検索して、取得した信号に対応したデータベースの記憶データの検索を行う（ステップＳ１２）。そして、この検索で取得した信号と一致する信号についての情報がデータベース内に存在するか否かを判断する（ステップＳ１３）。
【００３４】
ステップＳ１３で、取得した信号についての情報がデータベース内に存在しない場合には、帳票についての定義誤りとして処理を終了する（ステップＳ１４）。このステップＳ１４での定義誤りは、例えば帳票への出力がない項目となる誤り、入出力信号定義情報部１１１の定義誤り、または、帳票内での定義誤りのいずれかに該当する。このときには、メッセージやダイアログを表示して、誤りがあることを通知する。
【００３５】
ステップＳ１３で、取得した信号についての情報がデータベース内に存在した場合には、その情報に対応したデータベースの情報から、監視制御画面表示処理部１１６及び帳票データ出力部１１７が画面表示を行うための情報を取得する（ステップＳ１５）。そして、監視制御画面表示処理部１１６は、取得した情報に基づいてコントローラ又は帳票そのものへ模擬データを出力する（ステップＳ１６）。コントローラへ送信した場合は、作業者が監視制御画面上から帳票を出力する。また、帳票データ出力部１１７は、取得した情報に基づいて帳票のデータを生成し、その生成した帳票のデータを帳票作成部１０３に送り、表示部１３１が帳票の表示を行う（ステップＳ１７）。このときには、信号の入出力結果が反映される位置（例えば指定した信号で特定のシンボルが表示される位置）を判断し、監視制御画面上の、その判断した位置で特定の表示を行い、表示される位置を案内するガイド表示を行う。例えば、監視制御画面表示処理部１１６が、入出力結果が反映される数値表示箇所を囲む丸印を表示してもよい。
【００３６】
この送信の結果、試験作業者は、帳票の表示状態が意図した結果になったか否かを判断する（ステップＳ１８）。この表示が意図した表示であると判断した場合には、試験作業者の対応した入力操作を受けて、帳票データ出力部１１７は、今回の入力信号について試験済みであることを入出力信号定義情報部１１１に出力する（ステップＳ２０）。ステップＳ２０では、例えば入出力信号定義情報部１１１が、対応した定義情報が試験済みであること示す情報を記憶してもよい。
また、ステップＳ１８で適正な表示でないと試験作業者が判断した場合には、試験作業者の対応した入力操作を受けて、帳票の定義に誤りがあると判断して（ステップＳ１９）、処理を終了する。この誤りがある場合には、例えば入出力信号定義情報部１１１が、対応した定義情報に誤りがあること示す情報を記憶してもよい。
【００３７】
図８は、画面と帳票の表示例を示した図である。図８に示す例では、論理端子やアドレスなどで指定された入力信号に対応したデータベース上のデータ３０１に基づいて、監視制御画面の画面３０２内に、特定の数値表示を行う箇所を囲むように、丸印３０３を表示する。この丸印３０３の表示が行われることで、その丸印３０３の内側に表示された箇所が試験対象となっているシンボルであると判る。あるいは、帳票表示画面３０４で、そのときの模擬的な数値を帳票内に示すようにしてもよい。
【００３８】
この監視制御画面の模擬画面と帳票画面を表示する際には、表示数値として、例えば、その箇所で表示される下限値，中間値，上限値，異常値を一定時間間隔で変化させる。下限値，中間値，上限値，異常値を一定時間間隔で変化させるのは１つの例であり、例えば下限値と上限値のような２つの値を、一定時間間隔で変化させてもよい。また、下限値，中間値，上限値，異常値とは異なる任意の数値を表示するようにしてもよい。
【００３９】
［６．変形例］
なお、本発明は上述した実施の形態に限定されるものではなく、様々な変形例が含まれる。例えば、図２に示した入出力信号定義部１１０内の各処理部は、それぞれの処理部で行われる処理を示す名称としたが、実質的に同様の機能を行う構成であれば、図示の構成に限定されない。また、信号照合データベース部１２１や帳票照合データベース部１２２についても、それぞれのデータベースを構成するテーブルのデータは、端末内又は外部の各種記憶媒体に記憶させて、実現してもよい。
すなわち、上述した実施の形態で説明した各構成や処理部は、それらの一部または全部を、例えば集積回路で設計する等によりハードウェアで実現してもよい。あるいは、各構成や処理部は、プロセッサがそれぞれの機能を実現するプログラムを解釈し、実行することによりソフトウェアで実現してもよい。ソフトウェアで実現した場合、コンピュータ装置にそのソフトウェアを実装することで、上述した実施の形態で説明した各構成や処理部と同等の機能を持つ装置が得られる。
なお、各処理機能を実現するプログラムやデータベース等の情報は、メモリや、ハードディスク、ＳＳＤ（Solid State Drive）等の記憶装置、または、各種メモリカード、光ディスク等の記憶媒体に記憶される。
【符号の説明】
【００４０】
１０…プラント、２１，２２…プロセス入出力装置、３１，３２…コントローラ、９０…ネットワーク、１００…監視制御端末、１０１…入出力部、１０２…監視制御画面作成部、１０３…帳票作成部、１１０…入出力信号定義部、１１１…入出力信号定義情報部、１１２…入出力信号照合データベース作成部、１１３…入出力信号照合データベース検索部、１１４…帳票出力項目照合データベース作成部、１１５…帳票出力項目照合データベース検索部、１１６…監視制御画面表示処理部、１１７…帳票データ出力部、１１８…模擬データ送信部、１２１…信号照合データベース部、１２２…帳票照合データベース部、１３１…表示部、１３２…プリンタ、２０２，３０２…監視制御画面
【図１】
2013120536.tif 000003
【図２】
2013120536.tif 000004
【図３】
2013120536.tif 000005
【図４】
2013120536.tif 000006
【図５】
2013120536.tif 000007
【図６】
2013120536.tif 000008
【図７】
2013120536.tif 000009
【図８】
2013120536.tif 000010